(57)【要約】【課題】原稿抑え板の閉じ角度に応じて、プレビュー表示を行った後に、ユーザへ複写を行うか否かの判断を委ねることで、ユーザの所望の印刷を行うことが可能な画像処理装置、制御方法、プログラム、記録媒体を提供する。【解決手段】圧部１０３が静止したタイミングで圧部１０３の閉じ角度を検出し、検出した閉じ角度が所定値以上であれば、原稿台１０２に配置された原稿１０８を読取り、複写画像を生成した後、プレビュー表示部１０６に生成した複写画像を表示する。【選択図】図１
2011135331.tif 000002
【特許請求の範囲】
【請求項１】
原稿台に配置された原稿を読取り後、画像データへ変換することで複写画像を生成する読取部と、
前記読取部において生成した複写画像を表示する表示部と、
前記原稿台に対する前記原稿を固定するための圧部の閉じ角度を検出する圧部角度検出部と、
前記圧部の動作が静止したことを検知する圧部動作検知部と、
前記圧部動作検知部によって前記圧部が静止したと判定した場合、前記圧部角度検出部によって検出した閉じ角度が所定値以上である場合、前記読取部において前記原稿台に配置された原稿に対する複製画像を生成した後、前記表示部によって前記生成した複製画像を表示し、一方、前記圧部角度検出部によって検出した閉じ角度が所定値未満である場合、前記読取部において前記原稿台に配置された原稿に対する複製画像を生成した後、前記生成した複製画像に対して印刷出力処理を行う読取制御部と、
を備えたことを特徴とする画像処理装置。
【請求項２】
前記圧部動作検知部は、圧部角度検出部によって圧部の閉じ角度を所定時間間隔で検出し、前回検出した閉じ角度と新たに検出した閉じ角度との比較を行い、相違する場合は、前記圧部は動作していると判定し、相違しない場合は、前記圧部の動作が静止したことを検知することを特徴とする請求項１に記載の画像処理装置。
【請求項３】
前記読取制御部において前記圧部角度検出部によって検出した閉じ角度が所定値未満である場合、前記読取部において前記原稿台に配置された原稿に対する複製画像を生成した後、前記生成した複写画像を前記表示部に表示することを指示するための指示入力部を更に備えたことを特徴とする請求項１または請求項２に記載の画像処理装置。
【請求項４】
原稿台に配置された原稿を読取り後、画像データへ変換することで複写画像を生成する読取工程と、
前記読取工程において生成した複写画像を表示する表示工程と、
前記原稿台に対する前記原稿を固定するための圧部の閉じ角度を検出する圧部角度検出工程と、
前記圧部の動作が静止したことを検知する圧部動作検知工程と、
前記圧部動作検知工程によって前記圧部が静止したと判定した場合、前記圧部角度検出工程によって検出した閉じ角度が所定値以上である場合、前記読取工程において前記原稿台に配置された原稿に対する複製画像を生成した後、前記表示工程によって前記生成した複製画像を表示し、一方、前記圧部角度検出工程によって検出した閉じ角度が所定値未満である場合、前記読取工程において前記原稿台に配置された原稿に対する複製画像を生成した後、前記生成した複製画像に対して印刷出力処理を行う読取制御工程と、
を備えたことを特徴とする画像処理装置の制御方法。
【請求項５】
コンピュータで読取り可能なプログラムであると共に実行可能なプログラムであって、前記プログラムは、
原稿台に配置された原稿を読取り後、画像データへ変換することで複写画像を生成する読取手段と、
前記読取手段において生成した複写画像を表示する表示手段と、
前記原稿台に対する前記原稿を固定するための圧部の閉じ角度を検出する圧部角度検出手段と、
前記圧部の動作が静止したことを検知する圧部動作検知手段と、
前記圧部動作検知手段によって前記圧部が静止したと判定した場合、前記圧部角度検出手段によって検出した閉じ角度が所定値以上である場合、前記読取手段において前記原稿台に配置された原稿に対する複製画像を生成した後、前記表示手段によって前記生成した複製画像を表示し、一方、前記圧部角度検出手段によって検出した閉じ角度が所定値未満である場合、前記読取手段において前記原稿台に配置された原稿に対する複製画像を生成した後、前記生成した複製画像に対して印刷出力処理を行う読取制御手段と、
として機能するプログラム。
【請求項６】
請求項５に記載のプログラムを記録したコンピュータで読取り可能な記録媒体。
【発明の詳細な説明】
【技術分野】
【０００１】
本発明は、原稿を読取り後、印刷出力を行うにあたり読取った原稿のプレビュー表示を行う画像処理装置に関する。
【背景技術】
【０００２】
ユーザによって画像処理装置の原稿台に原稿を配置させた後、原稿抑え板を閉めることによって、原稿台に配置した原稿を安定させた後、備え付けの印刷出力指示機能を用いて印刷指示を実行することで、原稿台に配置された原稿をスキャナ等で読取ることで複写画像の生成を行い、生成された複写画像に対して印刷出力を行う画像処理装置が存在する。
【０００３】
ユーザは、原稿台に原稿を配置させる際に、原稿台の端部に原稿の端部をセットすることによって、原稿スケールに適当な印刷用紙を検知して印刷出力を実行しているが、原稿台の正しい位置に原稿がセットされずにスキャナ等によって読取られて複写画像が生成されるので、印刷用紙上に生成した複写画像を転写すると印刷用紙に対してズレが生じたまま複写画像が転写される。
【０００４】
そこで、原稿抑え板の閉じ操作角度が所定領域になると、原稿の長さ、及び幅等を検知するセンサを用いて、原稿台に対する原稿の位置を測定することによって、印刷用紙に対する複写画像のズレを抑止する技術が開示されている（例えば、特許文献１参照）。
【先行技術文献】
【特許文献】
【０００５】
【特許文献１】特開平０９−０９３３８１号公報
【発明の概要】
【発明が解決しようとする課題】
【０００６】
しかしながら、特許文献１に記載の画像処理装置においては、書籍等の厚みのある印刷物の複写を行う場合、原稿抑え板の閉じ操作角度について、厚みのない印刷物の複写を行う場合と比較すると、書籍等の厚みのある印刷物の複写を行う場合の方が、より大きな閉じ操作角度が生じてしまう。
【０００７】
この状態で原稿台に配置された原稿をスキャナ等で読取り複写画像を生成すると、読取り精度に問題が生じ、例えば、厚みのある書籍をスキャナ等で読取った際には、中綴じ部分のスキャニングを実施した際に、黒色に印字されてしまう現象が生じ、また、原稿抑え板により書籍を固定する際に、閉じ操作角度が大きい分、不安定な状態のまま印刷を実行しなければならないという問題が生じる。
【０００８】
本発明は、上記の問題を解決するためになされたものであり、厚みのある印刷物を複写する場合、原稿抑え板の閉じ角度を考慮して、複写を行うことが可能な画像処理装置、制御方法、プログラム、及び記録媒体を提供することを目的とする。
【課題を解決するための手段】
【０００９】
上記目的を達成すための第一の発明は、原稿台に配置された原稿を読取り後、画像データへ変換することで複写画像を生成する読取部と、前記読取部において生成した複写画像を表示する表示部と、前記原稿台に対する前記原稿を固定するための圧部の閉じ角度を検出する圧部角度検出部と、前記圧部の動作が静止したことを検知する圧部動作検知部と、前記圧部動作検知部によって前記圧部が静止したと判定した場合、前記圧部角度検出部によって検出した閉じ角度が所定値以上である場合、前記読取部において前記原稿台に配置された原稿に対する複製画像を生成した後、前記表示部によって前記生成した複製画像を表示し、一方、前記圧部角度検出部によって検出した閉じ角度が所定値未満である場合、前記読取部において前記原稿台に配置された原稿に対する複製画像を生成した後、前記生成した複製画像に対して印刷出力処理を行う読取制御部と、を備えたことを特徴とする。
【００１０】
上記目的を達成するための第二の発明は、原稿台に配置された原稿を読取り後、画像データへ変換することで複写画像を生成する読取工程と、前記読取工程において生成した複写画像を表示する表示工程と、前記原稿台に対する前記原稿を固定するための圧部の閉じ角度を検出する圧部角度検出工程と、前記圧部の動作が静止したことを検知する圧部動作検知工程と、前記圧部動作検知工程によって前記圧部が静止したと判定した場合、前記圧部角度検出工程によって検出した閉じ角度が所定値以上である場合、前記読取工程において前記原稿台に配置された原稿に対する複製画像を生成した後、前記表示工程によって前記生成した複製画像を表示し、一方、前記圧部角度検出工程によって検出した閉じ角度が所定値未満である場合、前記読取工程において前記原稿台に配置された原稿に対する複製画像を生成した後、前記生成した複製画像に対して印刷出力処理を行う読取制御工程と、を備えたことを特徴とする画像処理装置の制御方法である。
【００１１】
上記目的を達成するための第三の発明は、コンピュータで読取り可能なプログラムであると共に実行可能なプログラムであって、前記プログラムは、原稿台に配置された原稿を読取り後、画像データへ変換することで複写画像を生成する読取手段と、前記読取手段において生成した複写画像を表示する表示手段と、前記原稿台に対する前記原稿を固定するための圧部の閉じ角度を検出する圧部角度検出手段と、前記圧部の動作が静止したことを検知する圧部動作検知手段と、前記圧部動作検知手段によって前記圧部が静止したと判定した場合、前記圧部角度検出手段によって検出した閉じ角度が所定値以上である場合、前記読取手段において前記原稿台に配置された原稿に対する複製画像を生成した後、前記表示手段によって前記生成した複製画像を表示し、一方、前記圧部角度検出手段によって検出した閉じ角度が所定値未満である場合、前記読取手段において前記原稿台に配置された原稿に対する複製画像を生成した後、前記生成した複製画像に対して印刷出力処理を行う読取制御手段と、として機能するプログラムである。
【００１２】
上記目的を達成するための第四の発明は、第三の発明に記載のプログラムを記録したコンピュータで読取り可能な記録媒体である。
【発明の効果】
【００１３】
本発明によれば、原稿抑え板の閉じ角度に応じて、プレビュー表示を行った後に、ユーザへ複写を行うか否かの判断を委ねることで、ユーザの所望の印刷を行うことが可能となる。
【図面の簡単な説明】
【００１４】
【図１】本発明の実施形態における画像処理装置の構成を示す構成図である。
【図２】本発明の実施形態における画像処理装置のハードウェア構成を示す図である。
【図３】本発明の実施形態における画像処理装置のモジュール構成を示すブロック図である。
【図４】圧部が閉まった場合の印刷状況とプレビュー画面の一例を示す図である。
【図５】圧部が閉まらなかった場合の印刷状況とプレビュー画面の一例を示す図である。
【図６】本発明の実施形態における画像処理装置の基本的な処理フローを示すフローチャートである。
【発明を実施するための形態】
【００１５】
以下、図面を参照して、本発明の実施形態を詳細に説明する。
【００１６】
図１は、本発明の実施形態における画像処理装置のシステムの概略構成の一例を示す構成図である。
【００１７】
図１に示すように、複写機能を有する画像処理装置１０１には、原稿を複写する際に複写対象とする原稿を配置するための原稿台１０２、原稿台１０２に配置された原稿を押圧することによって固定化し、複写時の原稿スケールの適切な測定あるいは原稿の位置ずれ等を抑止するための圧部１０３、原稿の複写に関してジョブの処理状況を表示するジョブ表示部１０４、原稿の複写を実行する際に押下する印刷指示部を示す印刷ボタン１０５、原稿の複写を実行する前に、当該原稿のスキャニングを実施して得られた複写画像をプレビュー表示することで、出力イメージを確認するためのプレビュー表示部１０６、ユーザがプレビュー表示を行うために押下する指示入力部を示すプレビューボタン１０７が備え付けられている。
【００１８】
上記の構成により、画像処理装置１０１を利用して複写を行うには、ユーザは、まず、原稿１０８を原稿台１０２に配置した後、圧部１０３を閉じることによって原稿台１０２に配置した原稿１０８を押圧することで原稿１０８を固定化する。
【００１９】
その後、ユーザは、プレビューボタン１０７を押下することで、画像処理装置１０１に備えつけられたスキャナで原稿台１０２に配置した原稿１０８を読取り、読取られて得られた複写画像をプレビュー表示部１０６に表示する。
【００２０】
尚、プレビューボタン１０７を押下した後、原稿台１０２に配置した原稿１０８をスキャナで読み取ることに加えて、圧部１０３が所定の閉じ角度になったタイミングで、スキャナで読取りを行う機能も本実施形態に係る画像処理装置１０１は備えている。
【００２１】
書籍等の厚みのある原稿１０８を原稿台１０２に配置した場合、原稿台１０２に対して原稿１０８の被読取り箇所の一部が圧着せず、精度良くスキャナで読取ることができないという問題を生じる。
【００２２】
圧着しない箇所としては、原稿の中綴じ箇所が該当するが、当箇所についてスキャナで読取りを行った場合、黒く印刷出力され、更に、中綴じ付近に印字されている文字等も、原稿台１０２に対して圧着している箇所に印字されている文字等と比較すると歪んで印字されるといったような問題が発生する。
【００２３】
そこで、本実施形態に係る画像処理装置１０１では、圧部１０３の閉じ操作が静止したタイミングで、圧部１０３の閉じ角度を検出し、検出した閉じ角度が所定値以上であれば、厚みのある原稿１０８が原稿台１０２に配置されていると判定する。
【００２４】
この場合、前述のような問題が生じるため、厚みのある原稿１０８が原稿台１０２に配置されていると判定したタイミングで、原稿台１０２に配置された原稿１０８をスキャナで読取りを行うとともに、スキャンして得られた複写画像をプレビュー表示部１０６に表示することで、ユーザは、以降の印刷用紙への転写等の出力処理を行うか否かを確認することが可能となる。
【００２５】
ユーザは、プレビュー表示部１０６に表示された複写画像を確認しながら、印刷ボタン１０５を押下することで、複写画像の複写を開始する構成となっている。
【００２６】
尚、厚みのある原稿１０８が原稿台に配置されていない場合の複写については、プレビューボタン１０７を押下したタイミングで、プレビュー表示部１０６に複写画像を表示する構成とするが、複写画像を生成するタイミングは、圧部１０３の閉じ操作が静止したタイミングでも、圧部１０３の閉じ角度が所定値以下になった場合の何れの構成でも良い。
【００２７】
図１の下段に図示している画像処理装置は、上段に図示されている画像処理装置の側面を図示したものであり厚みのある原稿１０８が原稿台１０２に配置されているため、大きな圧部１０３の閉じ角度が生じていることを示している。
【００２８】
尚、２２１は、角度検出センサを示しており、圧部１０３の内に備えられており、詳細は、後述する。
【００２９】
次に、図２を用いて、図１に示した画像処理装置１０１を制御するコントローラユニットのハードウェア構成について説明する。
【００３０】
図２は、図１に示した画像処理装置１０１のコントローラユニットのハードウェア構成の一例を示すブロック図である。
【００３１】
図２において、２１６はコントローラユニットで、画像入力デバイスとして機能するスキャナ２１４や、画像出力デバイスとして機能するプリンタ部２１２と接続する一方、ＬＡＮや公衆回線（ＷＡＮ）（例えば、ＰＳＴＮまたはＩＳＤＮ等）と接続することで、画像データやデバイス情報の入出力を行う。
【００３２】
コントローラユニット２１６において、２０１はＣＰＵで、システム全体を制御するプロセッサである。２０２はＲＡＭで、ＣＰＵ２０１が動作するためのシステムワークメモリであり、プログラムを記録するためのプログラムメモリや、画像データを一時記録するための画像メモリでもある。
【００３３】
２０３はＲＯＭで、システムのブートプログラムや各種制御プログラムが格納されている。２０４はハードディスクドライブ（ＨＤＤ）で、システムを制御するための各種プログラム，画像データ等を格納する。
【００３４】
２０７は操作部インタフェース（操作部Ｉ／Ｆ）で、操作部（ボタンやキーボード）２０８とのインタフェース部である。また、操作部Ｉ／Ｆ２０７は、操作部２０８から入力したキー情報（例えば、スタートボタンの押下）をＣＰＵ２０１に伝える役割をする。
【００３５】
２０５はネットワークインタフェース（Ｎｅｔｗｏｒｋ Ｉ／Ｆ）で、ネットワーク（ＬＡＮ）に接続し、データの入出力を行う。２０６はモデム（ＭＯＤＥＭ）で、公衆回線に接続し、ＦＡＸの送受信等のデータの入出力を行う。
【００３６】
２１８は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、ＩＣカード（記憶媒体）の読み取り用のカードリーダ２１９が外部Ｉ／Ｆ２１８に接続されている。そして、ＣＰＵ２０１は、この外部Ｉ／Ｆ２１８を介してカードリーダ２１９によるＩＣカードからの情報読み取りを制御し、ＩＣカードから読み取られた情報を取得可能である。以上のデバイスがシステムバス２０９上に配置される。
【００３７】
２２０はイメージバスインタフェース（ＩＭＡＧＥ ＢＵＳ Ｉ／Ｆ）であり、システムバス２０９と画像データを高速で転送する画像バス２１５とを接続し、データ構造を変換するバスブリッジである。
【００３８】
画像バス２１５は、ＰＣＩバスまたはＩＥＥＥ１３９４で構成される。画像バス２１５上には以下のデバイスが配置される。
【００３９】
２１０はラスタイメージプロセッサ（ＲＩＰ）で、例えば、ＰＤＬコード等のベクトルデータをビットマップイメージに展開する。２１１はプリンタインタフェース（プリンタＩ／Ｆ）で、プリンタ部２１２とコントローラユニット２１６を接続し、画像データの同期系／非同期系の変換を行う。また、２１３はスキャナインタフェース（スキャナＩ／Ｆ）で、スキャナ２１４とコントローラユニット２１６を接続し、画像データの同期系／非同期系の変換を行う。
【００４０】
２１７は画像処理部で、入力画像データに対し補正、加工、編集を行ったり、プリント出力画像データに対して、プリンタの補正、解像度変換等を行う。また、これに加えて、画像処理部２１７は、画像データの回転や、多値画像データに対してはＪＰＥＧ、２値画像データはＪＢＩＧ、ＭＭＲ、ＭＨ等の圧縮伸張処理を行う。
【００４１】
スキャナ２１４は、原稿となる紙上の画像を照明し、ＣＣＤラインセンサで走査することで、ラスタイメージデータとして電気信号に変換する。原稿用紙は原稿フィーダのトレイにセットし、装置使用者が操作部２０８から読み取り起動指示することにより、ＣＰＵ２０１がスキャナ２１４に指示を与え、フィーダは原稿用紙を１枚ずつフィードし原稿画像の読み取り動作を行う。
【００４２】
プリンタ部２１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ２０１からの指示によって開始する。なお、プリンタ部２１２には、異なる用紙サイズまたは異なる用紙向きを選択できるように複数の給紙段を持ち、それに対応した用紙カセットがある。
【００４３】
操作部２０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ２０７を介してＣＰＵ２０１に伝える。また、操作部２０８は、各種操作キーとして、例えば、スタートキー、ストップキー、ＩＤキー、リセットキー等を備える。
【００４４】
図１に示すジョブ表示部１０４、印刷ボタン１０５、プレビュー表示部１０６、及びプレビューボタン１０７等が相当する。
【００４５】
尚、表示部はプリンタによって表示性能が異なり、タッチパネルを介して操作をできるプリンタ、単に液晶画面を備え文字列を表示（印刷状態や印刷している文書名の表示）させるだけのプリンタによって本発明は構成されている。
【００４６】
ここで、操作部２０８のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部２０８のストップキーは、稼働中の動作を止める働きをする。また、操作部２０８のＩＤキーは、使用者のユーザＩＤを入力する時に用いる。リセットキーは、操作部からの設定を初期化する時に用いる。
【００４７】
カードリーダ２１９は、ＣＰＵ２０１からの制御により、携帯端末内に備えられたＩＣカードに記憶されている情報を読み取り、該読み取った情報を外部Ｉ／Ｆ２１８を介してＣＰＵ２０１へ通知する。
【００４８】
角度検出センサ２２１は、原稿台１０２を基準とした圧部１０３の閉じ角度を求めるためのセンサである。
【００４９】
以上のような構成によって、画像処理装置１０１は、スキャナ２１４から読み込んだ画像データをＬＡＮ上に送信したり、ＬＡＮから受信した印刷データをプリンタ部２１２により印刷出力することができる。
【００５０】
また、スキャナ２１４から読み込んだ画像データをモデム２０６により、公衆回線上にＦＡＸ送信したり、公衆回線からＦＡＸ受信した画像データをプリンタ部２１２により出力することできる。
【００５１】
次に、本発明の実施形態に係る画像処理装置１０１のモジュール機能について、図３に示す構成図を用いて説明する。
【００５２】
図３に示すように、画像処理装置１０１は、制御部３０１、圧部角度検出部３０２、圧部動作検知部３０３、原稿読取部３０４、読取制御部３０５、及び表示部３０６と、を備える。
【００５３】
圧部角度検出部３０２、圧部動作検知部３０３、原稿読取部３０４、読取制御部３０５、及び表示部３０６の相互の制御を実施するために、制御部３０１を介して制御信号が送受信されており、制御部３０１は、この画像処理装置１０１の全体の動作を制御している。
【００５４】
圧部角度検出部３０２は、角度検出センサ２２１を用いて原稿台１０２を基準とした圧部１０３の閉じ角度を検出する機能を有する。角度検出センサ２２１は、図１に示すように圧部１０３の内に備えられ、圧部１０３の下面に対して平行となるようにＸ軸を定め、かつ圧部１０３の下面に対して垂直方向をＹ軸として定めるように備えられている。
【００５５】
原稿台１０２に対して圧部１０３が閉じている状態を０°として、圧部１０３が開く方向を＋の角度として定義すると、圧部１０３のＸ軸方向の加速度、及びＹ軸方向の加速度から、原稿台１０２を基準とした圧部１０３の閉じ角度を求めることが可能となる。
【００５６】
圧部動作検知部３０３は、原稿台１０２を基準とした圧部１０３の閉じ角度を圧部角度検出部３０２によって所定時間間隔で検出し、前回検出した閉じ角度と新たに検出した閉じ角度とを比較し、相違が生じるようであれば、圧部１０３は動作していると判定し、相違が生じないようであれば、圧部１０３は静止していると判定する。
【００５７】
原稿読取部３０４は、スキャナ２１４を用いて原稿台１０２に配置された原稿１０８を読取り、読取った原稿を画像データへ変換することで複写画像を生成し、その後、複写画像をＲＡＭ２０２に記憶する。
【００５８】
読取制御部３０５は、原稿読取部３０４によって原稿台１０２に配置された原稿１０８の読取りを行うか否かを判定する制御を行う。
【００５９】
判定する方法としては、圧部動作検知部３０３によって圧部１０３が静止していると判定したタイミングで、圧部角度検出部３０２によって検出した閉じ角度が所定値以上である場合、つまり厚みのある原稿１０８が原稿台１０２に配置されたと判定した場合に、原稿読取部３０４によって原稿台１０２に配置された原稿１０８の読取りを行い、複写画像を生成し、ＲＡＭ２０２に記憶する。
【００６０】
この判定は、厚みのある原稿１０８が原稿台１０２に配置された場合、原稿１０８が適正に印刷出力されることがユーザにとって不確かであるため、スキャナ２１４を用いて原稿台１０２に配置された原稿１０８の読取りを行い、複写画像を生成する。
【００６１】
また、圧部動作検知部３０３によって圧部１０３が静止していると判定したタイミングで、圧部角度検出部３０２によって検出した閉じ角度が所定値未満である場合、原稿読取部３０４によって原稿台１０２に配置された原稿１０８の読取りを行い、複写画像を生成し、生成した複写画像に対して印刷出力処理を行う。
【００６２】
また、プレビューボタン１０７が押下されたタイミングで、原稿読取部３０４によって、原稿台１０２に配置された原稿１０８を読取る機能も有する。
【００６３】
更に、印刷ボタン１０５が押下されたタイミングで、原稿読取部３０４によって、原稿台１０２に配置された原稿１０８を読取る機能も有する。
【００６４】
表示部３０６は、原稿読取部３０４によって生成した複写画像をＲＡＭ２０２から読み出し、プレビュー表示部１０６に表示する。あるいは、画像処理装置１０１における複写時のジョブの処理状況をジョブ表示部１０４に表示する。
【００６５】
次に、図４には、本発明の実施形態に係る画像処理装置において、原稿台１０２に配置された原稿１０８に厚みがなく、原稿台１０２に対して原稿１０８が正常に圧着している状態で複写を行う場合の表示部３０６の表示状態を示し
ている。
【００６６】
図４の左図には、ジョブ表示部１０４及び印刷ボタン１０５が示されており、圧部動作検知部３０３によって圧部１０３が静止したと判定し、読取制御部３０５において、圧部の閉じ角度が所定値未満であると判定した場合、つまり適正に印刷出力することができると想定されるため、ジョブ表示部１０４には、印刷可能である旨を示す「印刷できます。」のようなメッセージを出力すると共に、ユーザが原稿１０８の出力イメージを確認することが可能である旨を示す「印刷状況を確認したい場合は、プレビューボタンを押下して下さい。」のようなメッセージを出力する。
【００６７】
ユーザは、これらのメッセージを確認し、複写を継続して行う場合、印刷ボタン１０５を押下し、一方、出力イメージを確認する必要が生じた場合は、図４の右図に示されるプレビュー表示部１０６及びプレビューボタン１０７を用いて確認を行う。
【００６８】
図４の右図に示されるように、圧部動作検知部３０３によって圧部１０３が静止したと判定し、読取制御部３０５において、圧部の閉じ角度が所定値未満であると判定した場合、つまり適正に印刷出力することができると想定される場合、プレビュー表示部１０６には、出力イメージとして複写画像は表示されておらず、プレビューボタン１０７が押下されると、読取制御部３０５は、原稿読取部３０４によって、原稿台１０２に配置された原稿１０８を読取り、表示部３０６によって、プレビュー表示部１０６に複写画像を表示する。
【００６９】
次に、図５には、本発明の実施形態に係る画像処理装置において、原稿台１０２に配置された原稿１０８に厚みがあり、原稿台１０２に対して原稿１０８の被読取り箇所の一部が圧着しない状態で複写を行う場合の表示部３０６の表示状態を示している。
【００７０】
図５の左図には、ジョブ表示部１０４及び印刷ボタン１０５が示されており、圧部動作検知部３０３によって圧部１０３が静止したと判定し、読取制御部３０５において、圧部１０３の閉じ角度が所定値以上であると判定した場合、つまり適正に印刷出力することが不確かであると想定されるため、ジョブ表示部１０４には、圧部１０３が原稿台１０２に対して閉じていない旨を示す「蓋がしまっていません。」のようなメッセージを出力すると共に、ユーザが原稿１０８の出力イメージを確認することを促す旨を示す「自動プレビューを行います。これでよい場合は、印刷ボタンを押下して下さい。」のようなメッセージを出力する。
【００７１】
ユーザは、これらのメッセージを確認し、出力イメージを確認する必要があるため、図５の右図に示されるプレビュー表示部１０６に表示された出力イメージ（複写画像）を参考にする。
【００７２】
図５の右図に示されるように、圧部動作検知部３０３によって圧部１０３が静止したと判定し、読取制御部３０５において、圧部１０３の閉じ角度が所定値以上であると判定した場合、つまり適正に印刷出力することが不確かであると想定される場合、原稿読取部３０４によって原稿台１０２に配置された原稿１０８を読取り、複写画像を生成した後、表示部３０６によって、プレビュー表示部１０６に複写画像を表示する。
【００７３】
ユーザは、プレビュー表示部１０６に表示された複写画像を参考に、圧部１０３を開け、原稿台１０２に配置された原稿１０８の位置ずれや圧着の程度を直した後、圧部１０３を閉じ、圧部動作検知部３０３によって圧部１０３が静止したと判定し、読取制御部３０５において、圧部の閉じ角度が所定値以上であると判定した場合、再度、プレビュー表示部１０６には、圧部１０３が原稿台１０２に対して閉じていない旨を示すメッセージを出力すると共に、ユーザが原稿１０８の出力イメージを確認することを促す旨を示すメッセージを出力する。
【００７４】
従って、厚みのある原稿１０８を原稿台１０２に配置した場合、原稿台１０２に対して原稿１０８の被読取り箇所の一部が圧着せず、精度良くスキャナで読取ることができないことが想定される場合、自動で原稿１０８に対する出力イメージをプレビュー表示することが可能となるので、ユーザは所望しない印刷出力を行う可能性を軽減することで印刷用紙の浪費を抑止する、ユーザが再度、複写を行うといった作業負荷を軽減することが可能となる、また、幾度もプレビュー表示を実施するために指示入力を行う煩わしさを軽減することが可能となる。
【００７５】
次に本発明の実施形態に係る画像処理装置の複写に関する処理の流れを図６に示すフローチャートを用いて説明する。本フローチャートの各ステップにおける処理は、ＣＰＵ２０１の制御下の元、実行される
【００７６】
ステップＳ１００では、原稿台１０２を基準とした圧部１０３の閉じ角度を圧部角度検出部３０２によって検出し、新たな検出角度情報としてＲＡＭ２０２へ記憶する。
【００７７】
次のステップＳ１０１では、圧部動作検知部３０３は、ＲＡＭ２０２に記憶された前回の検出角度情報と新たな検出角度情報とを比較し、相違が生じるか否かを判定し、相違が生じる場合は、ＲＡＭ２０２へ記憶した新たな検出角度情報で前回の検出角度情報を更新し、ステップＳ１００へ処理を進め、相違が生じない場合は、ステップＳ１０２へ処理を進める。
【００７８】
ステップＳ１０２では、圧部角度検出部３０２によって検出した閉じ角度が所定値以上である場合、つまり厚みのある原稿１０８が原稿台１０２に配置されたと判定した場合、ステップＳ１０４へ処理を進め、閉じ角度が所定値未満である場合、ステップＳ１０３へ処理を進める。
【００７９】
ステップＳ１０３では、ステップＳ１０２の判定結果として、厚みのある原稿１０８が配置されていない旨を示す原稿情報をＲＡＭ２０２へ記憶する。
【００８０】
ステップＳ１０４では、ステップＳ１０２の判定結果として、厚みのある原稿１０８が配置されている旨を示す原稿情報をＲＡＭ２０２へ記憶する。
【００８１】
ステップＳ１０５では、ＲＡＭ２０２へ記憶した原稿情報を取得し、取得した原稿情報が、厚みのある原稿１０８が配置されている旨を示しているか否かを判定し、厚みのある原稿１０８が配置されている旨を示す場合は、ステップＳ１０６へ処理を進め、厚みのある原稿１０８が配置されていない旨を示す場合は、ステップＳ１０８へ処理を進める。
【００８２】
ステップＳ１０６では、原稿読取部３０４によって原稿台１０２に配置された原稿１０８の読取りを行った後、読取った原稿に基づいて、複写画像を生成し、ＲＡＭ２０２に記憶する。
【００８３】
尚、ステップＳ１０２乃至ステップＳ１０６における各処理は、読取制御部３０５によって実行される。
【００８４】
ステップＳ１０７では、表示部３０６によって、ステップＳ１０６においてＲＡＭ２０２に記憶した複写画像を取得し、図５に示すようにプレビュー表示部１０６に表示し、更に、同じく図５に示すように画像処理装置１０１における複写時のジョブの処理状況をジョブ表示部１０４に表示する。
【００８５】
ステップＳ１０８では、印刷ボタン１０５が押下されたか否かを判定し、押下されたと判定した場合、ステップＳ１０９へ処理を進め、押下されたと判定できなかった場合、ステップＳ１１０へ処理を進める。
【００８６】
ステップＳ１０９では、ステップＳ１０６で生成した複製画像に対して印刷用紙へ印刷出力を実行する。
【００８７】
ステップＳ１１０では、プレビューボタン１０７が押下されたか否かを判定し、押下されたと判定した場合、ステップＳ１１１へ処理を進め、押下されたと判定できなかった場合、ステップＳ１００へ処理を進める。
【００８８】
ステップＳ１１１では、読取制御部３０５が、原稿読取部３０４によって原稿台１０２に配置された原稿１０８の読取りを行った後、読取った原稿に基づいて、複写画像を生成し、ＲＡＭ２０２に記憶する。
【００８９】
ステップＳ１１２では、表示部３０６によって、ステップＳ１１１においてＲＡＭ２０２に記憶した複写画像を取得し、読取制御部３０５によって厚みのある原稿１０８が配置されていると判定した場合、図５に示すようにプレビュー表示部１０６に表示し、更に、同じく図５に示すように画像処理装置１０１における複写時のジョブの処理状況をジョブ表示部１０４に表示し、一方、読取制御部３０５によって厚みのある原稿１０８が配置されていないと判定した場合、図４に示すようにプレビュー表示部１０６に表示し、更に、同じく図４に示すように画像処理装置１０１における複写時のジョブの処理状況をジョブ表示部１０４に表示する。
【００９０】
以上、本発明では、原稿抑え板の閉じ角度に応じて、プレビュー表示を行った後に、ユーザへ複写を行うか否かの判断を委ねることで、ユーザの所望の印刷を行うことが可能となる。
【００９１】
以上、実施形態例を詳述したが、本発明は、例えば、方法、プログラムもしくは記憶媒体等としての実施態様をとることが可能であり、具体的には、複数の機器から構成されるシステムに適用しても良いし、また、一つの機器からなる装置に適用しても良い。
【００９２】
また、本発明におけるプログラムは、各処理方法をコンピュータが実行可能（読み取り可能）なプログラムであり、本発明の記憶媒体は、各処理方法をコンピュータが実行可能なプログラムが記憶されている。
【００９３】
なお、本発明におけるプログラムは、各装置の処理方法ごとのプログラムであってもよい。
【００９４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読取り実行することによっても、本発明の目的が達成されることは言うまでもない。
【００９５】
この場合、記録媒体から読み出されたプログラム自体が本発明の新規な機能を実現することになり、そのプログラムを記憶した記録媒体は本発明を構成することになる。
【００９６】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００９７】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９８】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１００】
さらに、本発明を達成するためのプログラムをネットワーク上のサーバ，データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１０１】
１０１  画像処理装置
１０２  原稿台
１０３  圧部
１０４  ジョブ表示部
１０５  印刷ボタン
１０６  プレビュー表示部
１０７  プレビューボタン
２０１  ＣＰＵ
２０２  ＲＡＭ
２０３  ＲＯＭ
２０４  ＨＤＤ
２０５  ＮｅｔｗｏｒｋＩ／Ｆ
２０６  ＭＯＤＥＭ
２０７  操作部Ｉ／Ｆ
２０８  操作部
２０９  システムバス
２１０  ＲＩＰ
２１１  プリンタＩ／Ｆ
２１２  プリンタ部
２１３  スキャナ部Ｉ／Ｆ
２１４  スキャナ部
２１５  画像バス
２１６  コントローラユニット
２１７  画像処理部
２１８  外部Ｉ／Ｆ
２１９  カードリーダ
２２０  ＩＭＡＧＥＢＵＳＩ／Ｆ
２２１  角度検出センサ
【図１】
2011135331.tif 000003
【図２】
2011135331.tif 000004
【図３】
2011135331.tif 000005
【図４】
2011135331.tif 000006
【図５】
2011135331.tif 000007
【図６】
2011135331.tif 000008